(57)【要約】      （修正有）【課題】比較的容易に組み立てでき、かつ箱体内における物品の収容空間を十分に確保可能なコーナーパッド用シートを提供する。【解決手段】左右方向に連接される第１側面パネル１及び第２側面パネル２と、第１側面パネル１の下端縁から延出する第１底面パネル３と、第２側面パネル２の下端縁から延出し、組立時に第１底面パネル３の下側に重ねられる第２底面パネル４と、第２底面パネル４から連続して設けられ、組立時に第１底面パネル３の上側に折り重ねられる第３底面パネル部８と、第１側面パネル１から連続して設けられ、組立時に第１側面パネル１の内面に折り重ねられる第３側面パネル部１０と、第２側面パネル２から連続して設けられ、組立時に第２側面パネル２の内面に折り重ねられる第４側面パネル部１２とを備え、第１側面パネル１と第１底面パネル３との連接部、及び第２側面パネル２と第２底面パネル４との連接部に一対の凹部形成部１４ａ、１４ｂを有する。【選択図】図１
0003212846.tif 000002
【実用新案登録請求の範囲】
【請求項１】
左右方向に連接される第１側面パネル及び第２側面パネルと、
上記第１側面パネルの下端縁から延出し、上記第２側面パネルと反対側に斜辺を有する概略直角二等辺三角形状の第１底面パネルと、
上記第２側面パネルの下端縁から延出し、上記第１側面パネルと反対側に斜辺を有し、組立時に上記第１底面パネルの下側に重ねられる概略直角二等辺三角形状の第２底面パネルと、
上記第２底面パネルの斜辺に連接され、組立時に上記第１底面パネルの上側に折り重ねられる概略直角二等辺三角形状の第３底面パネル部、及び上記第３底面パネル部と第２底面パネルとを接続する第１接続部を有する第１折返しパネルと、
上記第１側面パネルに連接され、組立時に上記第１側面パネルの内面に折り重ねられる第３側面パネル部、及び上記第３側面パネル部と第１側面パネルとを接続する第２接続部を有する第２折返しパネルと、
上記第２側面パネルに連接され、組立時に上記第２側面パネルの内面に折り重ねられる第４側面パネル部、及び上記第４側面パネル部と第２側面パネルとを接続する第３接続部を有する第３折返しパネルと
を備え、
上記第１側面パネルと第１底面パネルとの連接部、及び上記第２側面パネルと第２底面パネルとの連接部に、組立時に凹部を形成する一対の凹部形成部を有するコーナーパッド用シート。
【請求項２】
上記一対の凹部形成部が、上記第１側面パネルと第１底面パネルとの境界線、及び上記第２側面パネルと第２底面パネルとの境界線と垂直に、かつこれらの境界線を跨いで延びる各一対の切断線と、上記第１側面パネル、第２側面パネル、第１底面パネル及び第２底面パネルに形成され、上記各一対の切断線を接続する４つの折り曲げ容易線とを有する請求項１に記載のコーナーパッド用シート。
【請求項３】
上記切断線の長さに対するこの切断線に接続される一対の折り曲げ容易線間の間隔の比が、０．５０以上０．７０以下である請求項２に記載のコーナーパッド用シート。
【請求項４】
上記一対の折り曲げ容易線間の間隔が１．０ｃｍ以上２．０ｃｍ以下である請求項３に記載のコーナーパッド用シート。
【請求項５】
上記第１接続部と上記第２底面パネル及び第３底面パネル部との境界線、上記第２接続部と上記第１側面パネル及び第３側面パネル部との境界線、並びに上記第３接続部と上記第２側面パネル及び第４側面パネル部との境界線に、切断線及び罫線を交互に配置したリード罫線が形成されている請求項１から請求項４のいずれか１項に記載のコーナーパッド用シート。
【考案の詳細な説明】
【技術分野】
【０００１】
本考案は、コーナーパッド用シートに関する。
【背景技術】
【０００２】
物品の保管、運搬等に段ボールシート等から組み立てられる箱体が広く用いられている。また、物品の保管時にこの物品にかかる負荷や、物品の運搬時にこの物品に加わる衝撃を緩和するためにコーナーパッドが用いられることもある。
【０００３】
一般に、上記コーナーパッドは、物品の底面の隅部と箱体との間に配設されることで、物品に加わる衝撃等を緩和する。このコーナーパッドとしては、例えば平板状のものや、底板及びこの底板から立設する側板を有し、底板の内面及び側板の内面を物品に当接させることで、上下方向に加え、左右方向に対する緩衝作用も有するものが存在している。
【０００４】
上下方向及び左右方向に対する緩衝作用を有するコーナーパッドとしては、例えば段ボールシートを組み立てて形成され、正方形状の底板及びこの底板の隣接する２辺から立設する一対の側板を有するものが発案されている（特開２００３−２８５８６０号公報参照）。
【先行技術文献】
【特許文献】
【０００５】
【特許文献１】特開２００３−２８５８６０号公報
【考案の概要】
【考案が解決しようとする課題】
【０００６】
上記公報に記載のコーナーパッドは、正方形状の９つのパネルを折り込むことで組み立てられる。そのため、このコーナーパッドは、組立手順が煩雑で容易に組み立て難い。また、このコーナーパッドは物品の底面の隅部と箱体との間に配設されるものであるため、このコーナーパッドを用いると、箱体と物品との間にデッドスペースが形成される。そのため、このコーナーパッドは、箱体内に物品の収容空間を十分に確保し難い。
【０００７】
本考案は、このような不都合に鑑みてなされたものであり、比較的容易に組み立てることができると共に、箱体内における物品の収容空間を十分に確保することができるコーナーパッド用シートの提供を課題とする。
【課題を解決するための手段】
【０００８】
上記課題を解決するためになされた本考案に係るコーナーパッド用シートは、左右方向に連接される第１側面パネル及び第２側面パネルと、上記第１側面パネルの下端縁から延出し、上記第２側面パネルと反対側に斜辺を有する概略直角二等辺三角形状の第１底面パネルと、上記第２側面パネルの下端縁から延出し、上記第１側面パネルと反対側に斜辺を有し、組立時に上記第１底面パネルの下側に重ねられる概略直角二等辺三角形状の第２底面パネルと、上記第２底面パネルの斜辺に連接され、組立時に上記第１底面パネルの上側に折り重ねられる概略直角二等辺三角形状の第３底面パネル部、及び上記第３底面パネル部と第２底面パネルとを接続する第１接続部を有する第１折返しパネルと、上記第１側面パネルに連接され、組立時に上記第１側面パネルの内面に折り重ねられる第３側面パネル部、及び上記第３側面パネル部と第１側面パネルとを接続する第２接続部を有する第２折返しパネルと、上記第２側面パネルに連接され、組立時に上記第２側面パネルの内面に折り重ねられる第４側面パネル部、及び上記第４側面パネル部と第２側面パネルとを接続する第３接続部を有する第３折返しパネルとを備え、上記第１側面パネルと第１底面パネルとの連接部、及び上記第２側面パネルと第２底面パネルとの連接部に、組立時に凹部を形成する一対の凹部形成部を有する。
【０００９】
当該コーナーパッド用シートは、組立状態で、第１底面パネル、第２底面パネル及び第３底面パネル部が重ねられることで底板が形成され、第１側面パネル及び第３側面パネル部が重ねられることで一方の側板が形成され、第２側面パネル及び第４側面パネル部が重ねられることで他方の側板が形成される。これにより、当該コーナーパッド用シートは、比較的高い緩衝性が求められる底板を３つのパネルによって形成すると共に、通常底板と同等までの緩衝性は要求されない一対の側板をそれぞれ２つのパネルによって形成することで、緩衝性が不十分となることを抑制しつつ、比較的容易に組み立てることができる。また、当該コーナーパッド用シートは、第１側面パネルと第１底面パネルとの連接部、及び第２側面パネルと第２底面パネルとの連接部に、組立時に凹部を形成する一対の凹部形成部を有するので、箱体の底面の隅部に嵌合して用いることができる。つまり、例えば当該コーナーパッド用シートから組み立てられるコーナーパッドを箱体の底面の４隅に嵌合させ、隣接するコーナーパッドの凹部間に梱包用紐等の固定用ベルトを架け渡して巻回固定することで、これらのコーナーパッドを箱体に容易かつ確実に固定することができる。これにより、箱体の運搬時等にこの箱体からコーナーパッドが脱落することを防止することができる。そのため、当該コーナーパッド用シートから組み立てられるコーナーパッドは、箱体の内部に配置することを要しないので、箱体内における物品の収容空間を十分に確保することができる。
【００１０】
上記一対の凹部形成部が、上記第１側面パネルと第１底面パネルとの境界線、及び上記第２側面パネルと第２底面パネルとの境界線と垂直に、かつこれらの境界線を跨いで延びる各一対の切断線と、上記第１側面パネル、第２側面パネル、第１底面パネル及び第２底面パネルに形成され、上記各一対の切断線を接続する４つの折り曲げ容易線とを有するとよい。このように、上記一対の凹部形成部が、上記第１側面パネルと第１底面パネルとの境界線、及び上記第２側面パネルと第２底面パネルとの境界線と垂直に、かつこれらの境界線を跨いで延びる各一対の切断線と、上記第１側面パネル、第２側面パネル、第１底面パネル及び第２底面パネルに形成され、上記各一対の切断線を接続する４つの折り曲げ容易線とを有することで、上記一対の凹部形成部によって比較的容易に凹部を形成することができると共に、この凹部に固定用ベルトを容易に係止することができる。
【００１１】
上記切断線の長さに対するこの切断線に接続される一対の折り曲げ容易線間の間隔の比としては、０．５以上０．７以下が好ましい。このように、上記切断線の長さに対するこの切断線に接続される一対の折り曲げ容易線間の間隔の比が上記範囲内であることによって、上記一対の折り曲げ容易線間の部分によって形成される凹部に固定用ベルトを確実に係止することができる。
【００１２】
上記一対の折り曲げ容易線間の間隔としては、１．０ｃｍ以上２．０ｃｍ以下が好ましい。このように、上記一対の折り曲げ容易線間の間隔が上記範囲内であることによって、上記一対の折り曲げ容易線間の部分によって形成される凹部に固定用ベルトをより確実に係止することができる。
【００１３】
上記第１接続部と上記第２底面パネル及び第３底面パネル部との境界線、上記第２接続部と上記第１側面パネル及び第３側面パネル部との境界線、並びに上記第３接続部と上記第２側面パネル及び第４側面パネル部との境界線に、切断線及び罫線を交互に配置したリード罫線が形成されているとよい。このように、上記第１接続部と上記第２底面パネル及び第３底面パネル部との境界線、上記第２接続部と上記第１側面パネル及び第３側面パネル部との境界線、並びに上記第３接続部と上記第２側面パネル及び第４側面パネル部との境界線に、切断線及び罫線を交互に配置したリード罫線が形成されていることによって、これらの境界線を容易かつ確実に折り曲げることができ、コーナーパッドの組み立ての容易性及び確実性を高めることができる。
【００１４】
なお、本考案において、「上」及び「下」とは、コーナーパッド用シートを組み立ててなるコーナーパッドの想定される一般的な使用態様における上下を意味し、「左右」とは、想定される一般的な使用態様における左右を意味するが、当該コーナーパッド用シートの組み立て前における向きを制限することを企図するものではない。
【考案の効果】
【００１５】
以上説明したように、本考案に係るコーナーパッド用シートは、比較的容易に組み立てることができると共に、汎用性に優れる。
【図面の簡単な説明】
【００１６】
【図１】本考案の一実施形態に係るコーナーパッド用シートを示す模式的平面図である。
【図２】図１のコーナーパッド用シートを組み立ててなるコーナーパッドを示す模式的斜視図である。
【図３】図２のコーナーパッドの組立手順を示す模式的斜視図である。
【図４】図２のコーナーパッドの図３の次の組立手順を示す模式的斜視図である。
【図５】図２のコーナーパッドの凹部を示す模式的部分拡大図である。
【図６】図２のコーナーパッドの使用状態を示す模式的斜視図である。
【考案を実施するための形態】
【００１７】
以下、適宜図面を参照しつつ、本考案の実施の形態を詳説する。
【００１８】
［第一実施形態］
＜コーナーパッド用シート＞
図１のコーナーパッド用シートは、１枚のシートからなり、図２のコーナーパッド３１に組み立てられる。当該コーナーパッド用シートは、左右方向に連接される第１側面パネル１及び第２側面パネル２と、第１側面パネル１の下端縁から延出し、第２側面パネル２と反対側に斜辺（直角に対向する辺）を有する概略直角二等辺三角形状の第１底面パネル３と、第２側面パネル２の下端縁から延出し、第１側面パネル１と反対側に斜辺を有する概略直角二等辺三角形状の第２底面パネル４と、第２底面パネル４の上記斜辺に連接される第１折返しパネル５と、第１側面パネル１に連接される第２折返しパネル６と、第２側面パネル２に連接される第３折返しパネル７とを備える。第２底面パネル４は、組立時に第１底面パネル３の下側に重ねられる。第１折返しパネル５は、組立時に第１底面パネル３の上側に折り重ねられる概略直角二等辺三角形状の第３底面パネル部８と、第３底面パネル部８及び第２底面パネル４を接続する第１接続部９とを有する。第２折返しパネル６は、組立時に第１側面パネル１の内面に折り重ねられる第３側面パネル部１０と、第３側面パネル部１０及び第１側面パネル１を接続する第２接続部１１とを有する。第３折返しパネル７は、組立時に第２側面パネル２の内面に折り重ねられる第４側面パネル部１２と、第４側面パネル部１２及び第２側面パネル２を接続する第３接続部１３とを有する。なお、図１において、太い実線はシートを切断して形成されるエッジを示し、細い実線はシートの一方の面（コーナーパッドに組み立てられた状態で外部に露出する側と反対側の面）に筋押しして形成される罫線を示す。
【００１９】
当該コーナーパッド用シートに用いられるシートとしては、当該コーナーパッド用シートを組み立ててなるコーナーパッドの形状を維持できる程度の強度を有し、かつ厚さ方向に適度な弾力性を有する限り特に限定されるものではなく、例えば段ボールシート、合成樹脂製シート、紙製シートと合成樹脂製シートとの積層シート等が挙げられる。中でも、加工性、衝撃吸収性、取扱性、リサイクル性、経済性等の点から段ボールシートが好ましい。当該コーナーパッド用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。なお、当該コーナーパッド用シートに用いられるシートの平均厚さは、必要に応じて適宜設定可能であり、例えば１．５ｍｍ以上８ｍｍ以下とすることができ、上記シートが両面段ボールシートである場合、このシートの平均厚さは、例えば５ｍｍとすることができる。
【００２０】
第１側面パネル１は、概略矩形状のパネルを、上縁と第２側面パネル２と反対側の側縁との角部を切除した斜辺１ａを有する。これにより、第１側面パネル１は概略五角形状に形成されている。第２側面パネル２は、概略矩形状のパネルを、上縁と第１側面パネル１と反対側の側縁との角部を切除した斜辺２ａを有する。これにより、第２側面パネル２は概略五角形状に形成されており、詳細には第１側面パネル１との境界線を基準として、第１側面パネル１と略線対称に形成されている。また、第２側面パネル２の下縁は、第１側面パネル１の下縁よりもシート厚さ分程度下方に位置している。これにより、第１側面パネル１の下端縁から延出する第１底面パネル３を内側に折り曲げた後に第２側面パネル２の下端縁から延出する第２底面パネル４を内側に折り曲げることで、第２底面パネル４を第１底面パネル３の下側に容易かつ安定的に重ねられるよう構成されている。
【００２１】
第１底面パネル３は、上述のように概略直角二等辺三角形状に形成されている。第１底面パネル３の第２底面パネル４と対向する辺には、組立時に後述する凹部形成部１４ｂに対応する外形がコ字状の切欠き３ａが形成されている。第２底面パネル４は、上述のように概略直角二等辺三角形状に形成されている。第２底面パネル４は、組立状態で第１底面パネル３の下面全面と重なり合うよう第１底面パネル３と略同一形状に構成されている。なお、本実施形態では、第２底面パネル４は、第１底面パネル３の切欠き３ａに対応する切欠きを有していない。但し、第２底面パネル４は、使用時に後述する凹部２１に固定用ベルトＹを係止しやすいよう、第１底面パネル３の切欠き３ａに対応する切欠きを有していてもよい。
【００２２】
第１接続部９は、第２底面パネル４の斜辺と平行な方向を長手方向とする矩形状に形成される。第１接続部９の短手方向長さは、当該コーナーパッド用シートのシート厚さの２倍以上とされている。第１接続部９と第２底面パネル４及び第３底面パネル部８との境界線には、切断線及び罫線を交互に配置したリード罫線２５ａが形成されている。
【００２３】
第３底面パネル部８は、上述のように概略直角二等辺三角形状に形成されている。第３底面パネル部８は、第２底面パネル４と略同一形状に構成される。第３底面パネル部８の直交する２辺には基端側から後述する一対の凹部形成部１４ａ，１４ｂに対応する位置まで一定の深さの切欠き８ａが形成されている。
【００２４】
第２接続部１１は、第１側面パネル１の斜辺１ａに連接される。第２接続部１１は、斜辺１ａと平行な方向を長手方向とする矩形状に形成される。第２接続部１１の短手方向長さは、当該コーナーパッド用シートのシート厚さの２倍以上とされている。第２接続部１１と第１側面パネル１及び第３側面パネル部１０との境界線には、切断線及び罫線を交互に配置したリード罫線２５ｂが形成されている。
【００２５】
第３側面パネル部１０は、第２接続部１１の長手方向を基準として第１側面パネル１と略線対称に構成されている。第３側面パネル部１０は、第１側面パネル１に折り重ねられた状態で、第１側面パネル１の下縁と重なり合う側の辺の先端から凹部形成部１４ａに対応する位置まで一定の深さの切欠き１０ａが形成されている。
【００２６】
第３接続部１３は、第２側面パネル２の斜辺２ａに連接される。第３接続部１３は、斜辺２ａと平行な方向を長手方向とする矩形状に形成される。第３接続部１３の短手方向長さは、当該コーナーパッド用シートのシート厚さの２倍以上とされている。第３接続部１３と第２側面パネル２及び第４側面パネル部１２との境界線には、切断線及び罫線を交互に配置したリード罫線２５ｃが形成されている。
【００２７】
第４側面パネル部１２は、第３接続部１３の長手方向を基準として第２側面パネル２と略線対称に構成されている。第４側面パネル部１２は、第２側面パネル２に折り重ねられた状態で、第２側面パネル２の下縁と重なり合う側の辺の先端から凹部形成部１４ｂに対応する位置まで一定の深さの切欠き１２ａが形成されている。
【００２８】
（凹部形成部）
当該コーナーパッド用シートは、第１側面パネル１と第１底面パネル３との連接部、及び第２側面パネル２と第２底面パネル４との連接部に、組立時に凹部を形成する一対の凹部形成部１４ａ，１４ｂを有する。
【００２９】
一対の凹部形成部１４ａ，１４ｂは、第１側面パネル１と第１底面パネル３との境界線、及び第２側面パネル２と第２底面パネル４との境界線と垂直に、かつこれらの境界線を跨いで延びる各一対の切断線２１ａ，２１ｂと、第１側面パネル１、第２側面パネル２、第１底面パネル３及び第２底面パネル４に形成され、各一対の切断線２１ａ，２１ｂを接続する４つの折り曲げ容易線２２ａ，２２ｂとを有する。
【００３０】
具体的には、第１側面パネル１及び第１底面パネル３の連接部に形成される一方の凹部形成部１４ａは、第１側面パネル１及び第１底面パネル３の境界線と垂直に、かつこの境界線を跨いで延びる一対の切断線２１ａと、第１側面パネル１及び第１底面パネル３に形成され、一対の切断線２１ａを接続する一対の折り曲げ容易線２２ａとを有する。また、第２側面パネル２及び第２底面パネル４の連接部に形成される他方の凹部形成部１４ｂは、第２側面パネル２及び第２底面パネル４の境界線と垂直に、かつこの境界線を跨いで延びる他対の切断線２１ｂと、第２側面パネル２及び第２底面パネル４に形成され、他対の切断線２１ｂを接続する他対の折り曲げ容易線２２ｂとを有する。
【００３１】
一対の折り曲げ容易線２２ａは、一対の切断線２１ａと直角に形成されており、他対の折り曲げ容易線２２ｂは、他対の切断線２１ｂと直角に形成されている。また、一対の折り曲げ容易線２２ａは、一対の切断線２１ａの中間部間に接続しており、他対の折り曲げ用線２２ｂは、他対の切断線２１ｂの中間部間に接続している。つまり、一対の切断線２１ａの両端は、一対の折り曲げ容易線２２ａとの接続部よりも上下方向外側に突出しており、他対の切断線２１ｂの両端は、他対の折り曲げ容易線２２ｂとの接続部よりも上下方向外側に突出している。さらに、一対の折り曲げ容易線２２ａは、第１側面パネル１及び第１底面パネル３の境界線から等間隔で形成されており、他対の折り曲げ容易線２２ｂは、第２側面パネル２及び第２底面パネル４の境界線から等間隔で形成されている。
【００３２】
以下、一対の凹部形成部１４ａ，１４ｂによって形成される凹部について説明するに当たり、まず当該コーナーパッド用シートをコーナーパッド３１に組み立てる手順について説明する。
【００３３】
（組立手順）
まず、第２側面パネル２を第１側面パネル１に対して内側に直角に折り曲げ、さらに第１底面パネル３を上方に直角に折り曲げる。この際、第１底面パネル３の切欠き３ａが凹部形成部１４ｂに対応して設けられることで、凹部形成部１４ｂは上方に露出する。続いて、第２底面パネル４を上方に直角に折り曲げる。これにより、図３に示すように、第２底面パネル４が第１底面パネル３の下側に重ねられる。
【００３４】
次に、第１接続部９を上方に直角に折り曲げ、さらに第３底面パネル部８を第１底面パネル３側に直角に折り曲げる。これにより、図４に示すように、第３底面パネル部８が第１底面パネル３の上側に折り重ねられ底板が形成される。この際、第３底面パネル部８の延出方向先端側の頂点部分は第１側面パネル１及び第２側面パネル２の内面に当接する。一方、上述のように第３底面パネル部８には一対の切欠き８ａが形成されており、これらの切欠き８ａによって一対の凹部形成部１４ａ，１４ｂ、並びに第１底面パネル３の一対の凹部形成部１４ａ，１４ｂよりも左右方向外側部分が上方に露出する。
【００３５】
続いて、第２接続部１１及び第３接続部１３を内側に直角に折り曲げる。さらに、第３側面パネル部１０及び第４側面パネル部１２を下方に直角に折り曲げ、第３側面パネル部１０及び第４側面パネル部１２を、第１側面パネル１及び第２側面パネル２と第３底面パネル部８の一対の切欠き８ａとによって囲まれた部分に嵌め込む。これにより、一対の側板が形成され、図２のコーナーパッド３１が組み立てられる。
【００３６】
当該コーナーパッド用シートは、第１接続部９と第２底面パネル４及び第３底面パネル部８との境界線、第２接続部１１と第１側面パネル１及び第３側面パネル部１０との境界線、並びに第３接続部１３と第２側面パネル２及び第４側面パネル部１２との境界線にリード罫線２５ａ〜２５ｃが形成されているので、これらの境界線を容易かつ確実に折り曲げることができ、コーナーパッド３１の組み立ての容易性及び確実性を高めることができる。
【００３７】
（凹部）
一対の凹部形成部１４ａ，１４ｂによって形成される凹部について説明する。なお、一対の凹部形成部１４ａ，１４ｂによって形成される凹部は同一形状であるため、以下では、図５を参照して、第２側面パネル２及び第２底面パネル４の連接部に形成される凹部２７についてのみ説明する。
【００３８】
凹部２７は、第２底面パネル４を第２側面パネル２に対して直角に折り曲げることで自動的に形成される。具体的には、第２底面パネル４を第２側面パネル２に対して直角に折り曲げることで、一対の折り曲げ容易線２２ｂが外側に凸に折れ曲がる。これにより、図５に示すように、一対の切断線２１ｂに挟まれた領域（以下、「折り曲げ領域」ともいう）における一対の折り曲げ容易線２２ｂよりも上下方向外側の部分が外側に隆起すると共に、一対の折り曲げ容易線２２ｂ間の部分の上下方向中央部分が外板の内側に沈み込む。当該コーナーパッド３１は、この外板から沈み込んだ部分が凹部２７を形成する。
【００３９】
当該コーナーパッド３１は、図６に示すように、例えば段ボールシート等から組み立てられる箱体Ｘの底面の４隅に内面を嵌合して用いられる。当該コーナーパッド３１は、第１側面パネル１と第１底面パネル３との連接部、及び第２側面パネル２と第２底面パネル４との連接部に凹部２７が形成されるので、この凹部２７に梱包用紐等の固定用ベルトＹを係止することができる。その結果、当該コーナーパッド３１は、固定用ベルトＹによって箱体Ｘと一体的に巻回固定されることで、箱体Ｘへの嵌合状態を安定的に保持することができると共に、箱体Ｘに加えられる衝撃等からこの箱体Ｘに収容される物品を的確に保護することができる。
【００４０】
当該コーナーパッド用シートは、一対の凹部形成部１４ａ，１４ｂが、第１側面パネル１と第１底面パネル３との境界線、及び第２側面パネル２と第２底面パネル４との境界線と垂直に、かつこれらの境界線を跨いで延びる各一対の切断線２１ａ，２１ｂと、第１側面パネル１、第２側面パネル２、第１底面パネル３及び第２底面パネル４に形成され、各一対の切断線２１ａ，２１ｂを接続する４つの折り曲げ容易線２２ａ，２２ｂとを有することで、比較的容易に凹部２７を形成することができると共に、この凹部２７に固定用ベルトＹを容易に係止することができる。
【００４１】
切断線２１ａ，２１ｂの長さＬに対するこの切断線２１ａ，２１ｂに接続される一対の折り曲げ容易線２２ａ，２２ｂ間の間隔Ｄ１の比（Ｄ１／Ｌ）の下限としては、０．５０が好ましく、０．５５がより好ましい。一方、上記比（Ｄ１／Ｌ）の上限としては、０．７０が好ましく、０．６５がより好ましい。上記比（Ｄ１／Ｌ）が上記下限に満たないと、上記折り曲げ領域の全体面積に対する凹部２７の割合が不十分となり、固定用ベルトＹの係止作用を十分に奏し難くなるおそれがある。逆に、上記比（Ｄ１／Ｌ）が上記上限を超えると、一対の切断線２１ａ，２１ｂの一対の折り曲げ容易線２２ａ，２２ｂよりも上下方向外側に突出する部分の長さが不十分となり、凹部２７を形成し難くなるおそれがある。また、上記比（Ｄ１／Ｌ）が上記上限を超えると、凹部２７を形成するために、上記折り曲げ領域の一対の折り曲げ容易線２２ｂの上下方向外側の部分を外側に大きく隆起させる必要が生じ、凹部２７の形状が不安定になるおそれがある。例えば、当該コーナーパッド３１は、床面に当接した状態で使用されるため、一対の折り曲げ容易線２２ｂの上下方向外側の部分が外側に隆起しすぎるとこの隆起部分が床面から応力を受けることで凹部２７の形状が変形するおそれがある。
【００４２】
一対の折り曲げ容易線２２ａ，２２ｂ間の間隔Ｄ１の下限としては、１．０ｃｍが好ましく、１．２ｃｍがより好ましい。一方、上記間隔Ｄ１の上限としては、２．０ｃｍが好ましく、１．８ｃｍがより好ましい。上記間隔Ｄ１が上記下限より小さいと、十分なサイズの凹部２７を形成することができないおそれがある。逆に、上記間隔Ｄ１が上記上限を超えると、凹部２７を形成し難くなるおそれや、凹部２７の形状が不安定になるおそれがある。
【００４３】
一対の切断線２１ａ，２１ｂ間の間隔Ｄ２の下限としては、２ｃｍが好ましく、４ｃｍがより好ましい。一方、上記間隔Ｄ２の上限としては、８ｃｍが好ましく、６ｃｍがより好ましい。上記間隔Ｄ２が上記下限より小さいと、固定用ベルトＹを係止し難くなるおそれがある。逆に、上記間隔Ｄ２が上記上限を超えると、凹部２７の左右方向長さが不要に大きくなり、固定用ベルトＹが凹部２７内で揺動しやすくなるおそれがある。
【００４４】
＜利点＞
当該コーナーパッド用シートは、組立状態で、第１底面パネル３、第２底面パネル４及び第３底面パネル部８が重ねられることで底板が形成され、第１側面パネル１及び第３側面パネル部１０が重ねられることで一方の側板が形成され、第２側面パネル２及び第４側面パネル部１２が重ねられることで他方の側板が形成される。これにより、当該コーナーパッド用シートは、比較的高い緩衝性が求められる底板を３つの底面パネル３，４，８によって形成すると共に、通常底板と同等までの緩衝性は要求されない一対の側板をそれぞれ２つの側面パネル１，２，１０，１２によって形成することで、緩衝性が不十分となることを抑制しつつ、比較的容易に組み立てることができる。また、当該コーナーパッド用シートは、第１側面パネル１と第１底面パネル３との連接部、及び第２側面パネル２と第２底面パネル４との連接部に、組立時に凹部２７を形成する一対の凹部形成部１４ａ，１４ｂを有するので、箱体Ｘの底面の隅部に嵌合して用いることができる。つまり、例えば当該コーナーパッド用シートから組み立てられるコーナーパッド３１を箱体Ｘの底面の４隅に嵌合させ、隣接するコーナーパッド３１の凹部２７間に固定用ベルトＹを架け渡して巻回固定することで、これらのコーナーパッド３１を箱体Ｘに容易かつ確実に固定することができる。これにより、箱体Ｘの運搬時等にこの箱体Ｘからコーナーパッド３１が脱落することを防止することができる。そのため、当該コーナーパッド用シートから組み立てられるコーナーパッド３１は、箱体Ｘの内部に配置することを要しないので、箱体Ｘ内における物品の収容空間を十分に確保することができる。
【００４５】
［その他の実施形態］
なお、本考案に係るコーナーパッド用シートは、上記態様の他、種々の変更、改良を施した態様で実施することができる。例えば、上記側面パネルの形状は、上記実施形態の形状に限定されるものではなく、例えば三角形状等であってもよい。
【００４６】
上記凹部形成部の具体的形状は、コーナーパッドの側板と底板との連接部の外面側に凹部を形成できる限り特に限定されるものではない。上記凹部形成部は、例えば全体として矩形状に設けられ、組立時に破断可能な破断容易線であってもよい。
【００４７】
上記第１接続部と上記第２底面パネル及び第３底面パネル部との境界線、上記第２接続部と上記第１側面パネル及び第３側面パネル部との境界線、並びに上記第３接続部と上記第２側面パネル及び第４側面パネル部との境界線には、上記リード罫線以外の折り曲げ容易線が形成されていてもよい。
【産業上の利用可能性】
【００４８】
以上のように、本考案のコーナーパッド用シートは、比較的容易に組み立てることができると共に、箱体内における物品の収容空間を十分に確保することができるので、段ボールシート等を組み立ててなる箱体に収容される物品の保護に適している。
【符号の説明】
【００４９】
１  第１側面パネル
１ａ  斜辺
２  第２側面パネル
２ａ  斜辺
３  第１底面パネル
３ａ  切欠き
４  第２底面パネル
５  第１折返しパネル
６  第２折返しパネル
７  第３折返しパネル
８  第３底面パネル部
８ａ  切欠き
９  第１接続部
１０  第３側面パネル部
１０ａ  切欠き
１１  第２接続部
１２  第４側面パネル部
１２ａ  切欠き
１３  第３接続部
１４ａ，１４ｂ  凹部形成部
２１ａ，２１ｂ  切断線
２２ａ，２２ｂ  折り曲げ容易線
２５ａ，２５ｂ，２５ｃ  リード罫線
２７  凹部
３１  コーナーパッド
Ｘ  箱体
Ｙ  固定用ベルト
【図１】
0003212846.tif 000003
【図２】
0003212846.tif 000004
【図３】
0003212846.tif 000005
【図４】
0003212846.tif 000006
【図５】
0003212846.tif 000007
【図６】
0003212846.tif 000008